(57)【要約】【課題】  放電空間を井桁状に区画する隔壁を備え、この隔壁の縦壁部及び横壁部の側面と、区画された放電空間の底面に当たる誘電体層の表面に、蛍光体層が形成されたプラズマディスプレイパネルにおいて、その基板の反りや隔壁の破損により放電セルの形状が変形するのを防止する。【解決手段】  前面基板と背面基板との間に配置されて列方向に延びる縦壁部３５ａと行方向に延びる横壁部３５ｂによって放電空間を単位発光領域毎に区画する隔壁を備え、縦壁部３５ａ及び横壁部３５ｂの側面と、誘電体層の表面に蛍光体層が形成され、一対の行電極Ｘ，Ｙは、行方向に伸びる本体部Ｘｂ，Ｙｂと、本体部から列方向に突出して単位発光領域毎に放電ギャップｇを介して互いに対向する突出部Ｘａ，Ｙａとを有し、互いに隣接する行に沿って並ぶ単位発光領域の間の横壁部３５ｂが行方向と平行な隙間ＳＬによって分離されている。【選択図】    図１
2004259708.tif 000002
【特許請求の範囲】
【請求項１】
前面基板の背面側に、行方向に延び列方向に並設されてそれぞれ表示ラインを形成する複数の行電極対とこの行電極対を被覆する第1の誘電体層とが設けられ、背面基板における前記前面基板と放電空間を介して対向する側に、列方向に延び行方向に並設されて行電極対と交差する位置においてそれぞれ放電空間に単位発光領域を構成する複数の列電極と、この列電極を被覆する第２の誘電体層とが設けられたプラズマディスプレイパネルにおいて、
前記前面基板と前記背面基板との間に配置されて列方向に延びる縦壁部と行方向に延びる横壁部によって前記放電空間を前記単位発光領域毎に行方向と列方向に区画する隔壁を備え、
前記縦壁部及び前記横壁部の側面と、前記第２の誘電体層の表面には蛍光体層が形成され、
前記一対の行電極は、それぞれ、行方向に伸びる本体部と、この本体部から列方向に突出して前記単位発光領域毎に放電ギャップを介して互いに対向する突出部とを有し、
互いに隣接する行に沿って並ぶ前記単位発光領域の間の横壁部が行方向と平行な隙間によって分離されている、
ことを特徴とするプラズマディスプレイパネル。
【請求項２】
前記縦壁部及び前記横壁部によって区画された前記放電空間がそれぞれ放電セルを形成し、前記放電セルにおいて前記行電極対と前記列電極との間で点灯セルと消灯セルを選択する選択放電が行われ、前記行電極対に対して放電維持パルスが印加されて、前記選択放電によって選択された前記点灯セルにおいて面放電が発生することを特徴とする請求項１記載のプラズマディスプレイパネル。
【請求項３】
前記隙間によって分離された隔壁の横壁部の幅が、隔壁の列方向に延びる縦壁部の行方向の幅とほぼ同一になっている請求項１に記載のプラズマディスプレイパネル。
【請求項４】
前記第１の誘電体層の前記隔壁の横壁部に対向する部分に、横壁部側に張り出すように形成されて横壁部との間を閉じる嵩上げ部が形成されている請求項１に記載のプラズマディスプレイパネル。
【請求項５】
前記隔壁の一部に、隣接する前記単位発光領域毎の放電空間を互いに連通するスリットが形成されている請求項１に記載のプラズマディスプレイパネル。
【請求項６】
前記スリットは、前記隔壁の縦壁部に形成されている請求項５に記載のプラズマディスプレイパネル。
【請求項７】
前記スリットは、前記隔壁の横壁部に形成されている請求項５に記載のプラズマディスプレイパネル。
【請求項８】
前記前面基板の前記隙間に対向する部分に、第１光吸収層が設けられている請求項１に記載のプラズマディスプレイパネル。
【請求項９】
前記前面基板の背面側の前記隔壁の縦壁部に対向する部分に、第２光吸収層が設けられている請求項１に記載のプラズマディスプレイパネル。
【請求項１０】
前記隔壁の少なくとも縦壁部が、その表示面側に形成された光吸収層と背面側に形成された光反射層の二層構造になっている請求項１に記載のプラズマディスプレイパネル。
【請求項１１】
前記一対の行電極における本体部が金属膜によって形成され、前記突出部が透明導電膜によって形成されて、該突出部は、その基端部が前記本体部に接続されるとともに前記単位発光領域毎に島状に独立して設けられている、請求項１に記載のプラズマディスプレイパネル。
【請求項１２】
前記本体部の表示面側に光吸収層が設けられている請求項１１に記載のプラズマディスプレイパネル。
【請求項１３】
前記一対の行電極のうち少なくとも一方の行電極が、互いに隣接する表示ライン間において前記本体部を共用している請求項１１に記載のプラズマディスプレイパネル。
【請求項１４】
前記隔壁によって区画された前記単位発光領域が、列方向において直線状に配置され、各単位発光領域内に蛍光体層が形成され、この蛍光体層の色が行方向において赤，緑，青の順に設定されるとともに、同じ色の蛍光体層を有する単位発光領域が列方向において直線状に配置され、行方向に並ぶ赤，緑，青に色分けされた三つの単位発光領域によって一つの画素が構成される請求項１に記載のプラズマディスプレイパネル。
【請求項１５】
前記隔壁によって区画された前記単位発光領域が、列方向において直線状に配置され、各単位発光領域内における前記蛍光体層の色が行方向において赤，緑，青の順に設定されるとともに、この蛍光体層の色が隣接する二つの表示ラインの互いに行方向に一つ分ずつずれる単位発光領域において同じになるように設定され、行方向に並ぶ赤，緑，青に色分けされた三つの単位発光領域によって一つの画素が構成される請求項１に記載のプラズマディスプレイパネル。
【請求項１６】
前記隔壁によって区画された前記単位発光領域が、隣接する二つの表示ラインにおいて互いに行方向に単位発光領域の幅方向の寸法の半分ずつずれるように配置され、各単位発光領域内における前記蛍光体層の色が行方向において赤，緑，青の順に設定されるとともに、この蛍光体層の色が隣接する二つの表示ラインの互いに行方向に幅方向の寸法の半分ずつずれる単位発光領域において同じになるように設定され、行方向に並ぶ赤，緑，青に色分けされた三つの単位発光領域によって一つの画素が構成される請求項１に記載のプラズマディスプレイパネル。
【請求項１７】
前記隔壁によって区画された前記単位発光領域が、隣接する二つの表示ラインにおいて互いに行方向に単位発光領域の幅方向の寸法の半分ずつずれるように配置され、各単位発光領域内における前記蛍光体層の色が行方向において赤，緑，青の順に設定されるとともに、この蛍光体層の色が隣接する二つの表示ラインの互いに行方向に幅方向の寸法の１．５倍ずつずれる単位発光領域において同じになるように設定され、隣接する二つの表示ライン行方向に跨ってデルタ状に配置される赤，緑，青に色分けされた三つの単位発光領域によって一つの画素が構成される請求項１に記載のプラズマディスプレイパネル。
【請求項１８】
行方向に沿って並ぶ前記単位発光領域の最も外側に位置する単位発光領域を区画する隔壁の外側角部に面取りが施されている請求項１に記載のプラズマディスプレイパネル。
【発明の詳細な説明】
【技術分野】
【０００１】
本発明は、プラズマディスプレイパネルに関するものである。
【背景技術】
【０００２】
図２２は、この面放電方式交流型プラズマディスプレイパネルの従来のセル構造を模式的に示す平面図であり、図２３は、図２２のＶ−Ｖ線における断面図、図２４は、図２２のＷ−Ｗ線における断面図である。
【０００３】
この図２２ないし２４において、プラズマディスプレイパネル（以下、ＰＤＰ）の表示面となる前面ガラス基板１側には、その裏面に、複数の行電極対（Ｘ'，Ｙ'）と、この行電極対（Ｘ'，Ｙ'）を被覆する誘電体層２と、この誘電体層２の裏面を被覆するＭｇＯからなる保護層３が順に設けられている。
【０００４】
各行電極Ｘ'，Ｙ'は、それぞれ、幅の広いＩＴＯ等の透明導電膜からなる透明電極Ｘａ'，Ｙａ'と、その導電性を補う幅の狭い金属膜からなるバス電極Ｘｂ'，Ｙｂ'とから構成されている。
【０００５】
そして、行電極Ｘ'とＹ'とが放電ギャップｇ'を挟んで対向するように列方向に交互に配置されており、各行電極対（Ｘ'，Ｙ'）によって、マトリクス表示の１表示ライン（行）Ｌが構成される。
【０００６】
一方、希ガスが封入された放電空間Ｓ'を介して前面ガラス基板１に対向する背面ガラス基板４には、行電極対Ｘ'，Ｙ'と直交する方向に延びるように配列された複数の列電極Ｄ'と、この列電極Ｄ'間にそれぞれ平行に延びるように形成された帯状の隔壁５と、この隔壁５の側面と列電極Ｄ'を被覆するそれぞれＲ，Ｇ，Ｂに色分けされた蛍光体層６とが設けられている。
【０００７】
そして、各表示ラインＬにおいて、列電極Ｄ'と行電極対（Ｘ'，Ｙ'）が交差し、隔壁５によって放電空間Ｓ'が区画されることにより形成された単位発光領域に、放電セルＣ'がそれぞれ画定されている。
【０００８】
上記の面放電方式交流型ＰＤＰにおける画像の表示は、以下のようにして行われる。すなわち、先ず、アドレス操作により、各放電セルＣ'において行電極対（Ｘ'，Ｙ'）と列電極Ｄ'との間で選択的に放電が行われ、点灯セル（誘電体層２に壁電荷が形成された放電セルＣ'）と消灯セル（誘電体層２に壁電荷が形成されなかった放電セルＣ'）とが、表示する画像に対応してパネル上に分布される。
【０００９】
このアドレス操作の後、全表示ラインＬにおいて一斉に、行電極対（Ｘ'，Ｙ'）に対して交互に放電維持パルスが印加され、この放電維持パルスが印加される毎に、点灯セルにおいて面放電が発生される。
【００１０】
以上のようにして、点灯セルにおける面放電により紫外線が発生され、放電空間Ｓ'内のＲ，Ｇ，Ｂの蛍光体層６がそれぞれ励起されて発光することにより、表示する画面が形成される。
【発明の開示】
【発明が解決しようとする課題】
【００１１】
上記のようなプラズマディスプレイパネルにおいては、図２４に示されるように蛍光体層６を帯状の隔壁５の側面にも形成して、放電セルＣ'内の発光面積を増大させることにより、表示画面の輝度の増加を図っている。
【００１２】
しかしながら、上述した従来のＰＤＰの構造では、各放電セルＣ'のサイズを小さくして画面の精細度を上げようとすると、それに伴って、蛍光体層６の表面積が減少し、輝度が低下してしまうという問題が生じる。
【００１３】
さらに、この画面の高精細化に対応するために、行電極対（Ｘ'，Ｙ'）のピッチを狭めてゆくと、上下方向に隣接する放電セルＣ'に放電の干渉が生じ、誤放電が発生し易くなるという問題が生じる。
【００１４】
そこで、本発明の出願人は、先に、図２５〜２９に示されるような新規なＰＤＰのセル構造と電極構造に関する提案を行っている。このＰＤＰは、図２５ないし２９において、表示面である前面ガラス基板１０の背面に、複数の行電極対（Ｘ，Ｙ）が、前面ガラス基板１０の行方向（図２５の左右方向）に延びるように平行に配列されている。
【００１５】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００１６】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００１７】
この行電極ＸとＹは、前面ガラス基板１０の列方向（図２５の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００１８】
バス電極Ｘｂ，Ｙｂは、それぞれ表示面側の黒色導電層Ｘｂ'，Ｙｂ'と背面側の主導電層Ｘｂ”，Ｙｂ”の二層構造に形成されている。前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００１９】
そして、この誘電体層１１と嵩上げ誘電体層１１Ａの背面側には、ＭｇＯからなる保護層１２が形成されている。一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００２０】
背面ガラス基板１３の表示側の面上には、さらに、列電極Ｄを被覆する白色の誘電体層１４が形成され、この誘電体層１４上に、隔壁１５が形成されている。この隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００２１】
そして、この井桁状の隔壁１５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。
【００２２】
この隔壁１５は、その表示面側に形成されたが黒色層（光吸収層）１５'と背面側の白色層（光反射層）１５”の二層構造に形成されており、放電空間Ｓに面する側壁面がほぼ白色（すなわち、光反射層）になるように構成されている。
【００２３】
隔壁１５の縦壁１５ａの表示側の面は保護層１２に当接されておらず（図２８参照）、その間に隙間ｒが形成されているが、横壁１５ｂの表示側の面が、保護層１２の嵩上げ誘電体層１１Ａを被覆している部分に当接されていて（図２６および２７参照）、列方向において隣接する放電空間Ｓとの間がそれぞれ遮蔽されている。
【００２４】
放電空間Ｓに面する隔壁１５の縦壁１５ａおよび横壁１５ｂの側面と誘電体層１４の表面には、これらの五つの面を全て覆うように蛍光体層１６が、それぞれ順に形成されている。この蛍光体層１６の色は、各放電空間Ｓ毎にＲ，Ｇ，Ｂの色が行方向に順に並ぶように設定される。そして、放電空間Ｓ内には、希ガスが封入されている。
【００２５】
このＰＤＰは、行電極対（Ｘ，Ｙ）がそれぞれマトリクス表示画面の１表示ライン（行）Ｌを構成し、また、井桁状の隔壁１５によって区画された放電空間Ｓが、それぞれ一つの放電セルＣを画定している。このＰＤＰにおける画像表示は、図２２〜２４のＰＤＰと同様に、先ず、アドレス操作による行電極対（Ｘ，Ｙ）と列電極Ｄとの間の選択的な放電によって、全表示ラインＬに点灯セルと消灯セルとが、表示する画像に対応してパネル上に分布され、この後、全表示ラインＬにおいて一斉に、行電極対（Ｘ，Ｙ）に対して交互に放電維持パルスが印加されて、各点灯セルにおいて面放電が発生される。
【００２６】
そして、この点灯セルにおける面放電により紫外線が発生され、放電空間Ｓ内のＲ，Ｇ，Ｂの各蛍光体層１６がそれぞれ励起されて発光することにより、表示画面が形成される。
【００２７】
上記ＰＤＰは、各放電セルＣにおいて、蛍光体層１６が、放電空間Ｓに面する隔壁１５の四面の側壁と列電極Ｄを被覆する誘電体層１４の表示側の面の五面に形成されていることにより、蛍光体層１６の表面積すなわち発光面積が図２２〜２４のＰＤＰと比較して拡大されているので、放電セルＣの一個当たりの輝度がそれぞれ増大されて、表示画面の輝度を向上させることが出来る一方、画面の精細度を上げるために各放電セルＣのサイズを小さくしても、表示画面の輝度が従来のものと比べて低下してしまうことがないという特徴を備えている。
【００２８】
さらに、行電極Ｘ，Ｙの透明電極Ｘａ，Ｙａが、バス電極Ｘｂ，Ｙｂから互いに対となる相手の行電極側に延びて、それぞれ放電セルＣ毎に島状に独立するように構成されているために、画面の精細度を上げるために各放電セルＣのサイズを小さくしても、表示ラインＬ方向（水平方向）において隣接する放電セルＣヘの放電の干渉が生じる虞が無いという特徴を備えている。
【００２９】
さらにまた、誘電体層１１に嵩上げ誘電体層１１Ａが形成され、この嵩上げ誘電体層１１Ａを被覆する保護層１２が隔壁１５の横壁１５ｂの表示側の面に当接されて列方向（垂直方向）において隣接する放電セルＣの放電空間Ｓが互いに遮蔽されている（図２６および２７参照）ことにより、この列方向において隣接する放電セルＣ間で放電の干渉が生じるのが防止され、その一方で、隔壁１５の縦壁１５ａの表示側の面が、誘電体層１１の嵩上げ誘電体層１１Ａが形成されていない部分に対向されていて、この縦壁１５ａの表示側の面と保護層１２との間に隙間ｒが形成されている（図２８および２９参照）ことにより、行方向（表示ライン方向）において互いに隣接する放電セルＣの放電空間Ｓが隙間ｒを介して僅かに連結されて、放電を連鎖的に生じさせるプライミング効果が発生し、放電動作の安定化を図ることが出来るという特徴を備えている。
【００３０】
さらに、このＰＤＰは、バス電極Ｘｂ，Ｙｂの表示面側にそれぞれ黒色導電層Ｘｂ'，Ｙｂ'が設けられているとともに隔壁１５の表示側の面に黒色層１５'が形成されていることにより、前面ガラス基板１０を通して入射してくる外光が反射されるのを防止して、表示画面のコントラストを向上させることが出来る等、種々の特徴を備えているものである。
【００３１】
ところが、図２５から分かるように、放電空間Ｓを区画する隔壁１５の縦壁１５ａは、その幅が放電空間Ｓの面積を広くするために出来るだけ小さくなるように形成されるのに対し、横壁１５ｂの幅は、バス電極Ｘｂ，Ｙｂの設置スペースを確保するために縦壁１５ａの幅よりも広くならざるを得ない。
【００３２】
このため、この隔壁１５の縦壁１５ａと横壁１５ｂの幅の違いによって、その焼成時の収縮にばらつきが生じ、これによって、前面ガラス基板１０や背面ガラス基板１３の反りおよび隔壁１５の破損など、放電セル形状の変形の原因になるという新たな問題が発生している。
【００３３】
この発明は、このように、各単位発光領域での輝度減少を招くことなく高精細化に対応するために提案されたプラズマディスプレイパネルにおける特有の問題を解決することを課題とするものである。
【００３４】
すなわち、本発明は、前面基板と背面基板との間に配置されて列方向に延びる縦壁部と行方向に延びる横壁部によって放電空間を単位発光領域毎に行方向と列方向に区画する井桁状の隔壁を備えるものであって、縦壁部及び横壁部の側面と、この縦壁部及び横壁部に区画された放電空間の底面に当たる誘電体層の表面に、蛍光体層が形成されたプラズマディスプレイパネルにおいて、その基板の反りや隔壁の破損により放電セルの形状が変形するのを防止すること等を目的とするものである。
【課題を解決するための手段】
【００３５】
このような目的を達成するために、本発明によるプラズマディスプレイパネルは、以下の各独立請求項に係る構成を少なくとも具備するものである。
【００３６】
［請求項１］前面基板の背面側に、行方向に延び列方向に並設されてそれぞれ表示ラインを形成する複数の行電極対とこの行電極対を被覆する第1の誘電体層とが設けられ、背面基板における前記前面基板と放電空間を介して対向する側に、列方向に延び行方向に並設されて行電極対と交差する位置においてそれぞれ放電空間に単位発光領域を構成する複数の列電極と、この列電極を被覆する第２の誘電体層とが設けられたプラズマディスプレイパネルにおいて、前記前面基板と前記背面基板との間に配置されて列方向に延びる縦壁部と行方向に延びる横壁部によって前記放電空間を前記単位発光領域毎に行方向と列方向に区画する隔壁を備え、前記縦壁部及び前記横壁部の側面と、前記第２の誘電体層の表面には蛍光体層が形成され、前記一対の行電極は、それぞれ、行方向に伸びる本体部と、この本体部から列方向に突出して前記単位発光領域毎に放電ギャップを介して互いに対向する突出部とを有し、互いに隣接する行に沿って並ぶ前記単位発光領域の間の横壁部が行方向と平行な隙間によって分離されている、ことを特徴とするプラズマディスプレイパネル。
【発明を実施するための最良の形態】
【００３７】
以下、この発明の最も好適と思われる実施の形態について、図面を参照しながら詳細に説明を行う。
【００３８】
図１ないし５は、この発明によるプラズマディスプレイパネル（以下、ＰＤＰという）の実施形態の第１の例を示すものであって、図１はこの第１の例におけるＰＤＰを模式的に表す平面図であり、図２は図１のＶ３−Ｖ３線における断面図、図３は図１のＶ４−Ｖ４線における断面図、図４は図１のＷ３−Ｗ３線における断面図、図５は図１のＷ４−Ｗ４線における断面図である。
【００３９】
この図１ないし５に示されるＰＤＰは、表示面である前面ガラス基板１０の背面に、複数の行電極対（Ｘ，Ｙ）が、前面ガラス基板１０の行方向（図１の左右方向）に延びるように平行に配列されている。行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００４０】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００４１】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００４２】
バス電極Ｘｂ，Ｙｂは、それぞれ表示面側の黒色導電層Ｘｂ'，Ｙｂ'と背面側の主導電層Ｘｂ”，Ｙｂ”の二層構造に形成されている。前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、隔壁３５の縦壁３５ａに対向する部分に、光吸収層（遮光層）３１が形成されている。
【００４３】
前面ガラス基板１０の背面には、さらに、行電極対（Ｘ，Ｙ）を被覆するように誘電体層１１（第１の誘電体層）が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００４４】
そして、この誘電体層１１と嵩上げ誘電体層１１Ａの背面側には、ＭｇＯからなる保護層１２が形成されている。一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。背面ガラス基板１３の表示側の面上には、さらに、列電極Ｄを被覆する白色の誘電体層１４（第２の誘電体層）が形成され、この誘電体層１４上に、隔壁３５が形成されている。
【００４５】
隔壁３５は、互いに平行に配列された各列電極Ｄの間の位置において列方向に延びる縦壁３５ａと、嵩上げ誘電体層１１Ａに対向する位置において行方向に延びる横壁３５ｂとによって梯子状に形成されている。そして、この梯子状の隔壁３５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。
【００４６】
隔壁３５の縦壁３５ａの表示側の面は保護層１２に当接されておらず（図４参照）、その間に隙間ｒが形成されているが、横壁３５ｂの表示側の面が、保護層１２の嵩上げ誘電体層１１Ａを被覆している部分に当接されていて（図２および５参照）、列方向において隣接する放電空間Ｓとの間がそれぞれ遮蔽されている。
【００４７】
放電空間Ｓに面する隔壁３５の縦壁３５ａおよび横壁３５ｂの側面と誘電体層１４の表面には、これらの五つの面を全て覆うように蛍光体層１６が、それぞれ順に形成されている。
【００４８】
この蛍光体層１６の色は、各放電空間Ｓ毎にＲ，Ｇ，Ｂの色が行方向に順に並ぶように設定される（図４参照）。そして、放電空間Ｓ内には、希ガスが封入されている。この放電空間Ｓを区画する隔壁３５の横壁３５ｂは、表示ライン間の光吸収層３０と重なる位置に設けられた隙間ＳＬによって列方向に分離されている。
【００４９】
すなわち、隔壁３５は、表示ライン（行）Ｌ方向に沿って梯子状に形成され、列方向において表示ラインＬに沿って延びる隙間ＳＬを介して互いに平行になるように配置されている。この表示ラインＬ間に設けられた隙間ＳＬによって分割された横壁３５ｂの各部分３５ｂ'の幅は、それぞれ縦壁３５ａの幅と略同一になるように隙間ＳＬの幅が設定されている。
【００５０】
上記のＰＤＰは、行電極対（Ｘ，Ｙ）がそれぞれマトリクス表示画面の１表示ライン（行）Ｌを構成し、また、梯子状の隔壁３５によって区画された放電空間Ｓが、それぞれ一つの放電セルＣを画定している。
【００５１】
このＰＤＰにおける画像表示は、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。
【００５２】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００５３】
以上のようにして、点灯セルにおける面放電により紫外線が発生され、放電空間Ｓ内のＲ，Ｇ，Ｂの各蛍光体層１６がそれぞれ励起されて発光することにより、表示画面が形成される。上記ＰＤＰは、放電空間Ｓを区画する隔壁３５の横壁３５ｂを表示ラインＬ間に設けられた隙間ＳＬによって列方向に分離し、この分離された各部分３５ｂ'の幅を、それぞれ縦壁３５ａの幅と略同一になるように設定することによって、隔壁３５の焼成時の収縮にばらつきが少なくなり、これによって、前面ガラス基板１０や背面ガラス基板１３の反りおよび隔壁３５の破損などによる放電セル形状の変形が生じる虞がない。
【００５４】
さらに、上記ＰＤＰは、前面ガラス基板１０の背面の放電空間Ｓに対向する部分以外の部分が、光吸収層３０，３１および二層構造に形成されたバス電極Ｘｂ，Ｙｂの黒色導電層Ｘｂ'，Ｙｂ'によってカバーされていることにより、前面ガラス基板１０を通して入射してくる外光が反射されるのを防止して、表示画面のコントラストを向上させることができる。
【００５５】
なお、この例において、光吸収層３０と３１のうち何れか一方のみを形成するようにしてもよい。また、前面ガラス基板１０の背面に、対向する放電空間Ｓ内の蛍光体層１６の色（Ｒ，Ｇ，Ｂ）に対応する色のカラーフィルタ層（図示せず）を、各放電セルＣ毎に形成することも出来る。
この場合、光吸収層３０，３１は、各放電空間Ｓに対向するように島状に形成されたカラーフィルタ層の間隙またはこの間隙に対応する位置に形成される。
【００５６】
次に、この発明の実施形態における第２の例を、図６ないし８に基づいて説明する。図６はこの第２の例のＰＤＰを模式的に表す平面図であり、図７は図６のＶ５−Ｖ５線における断面図、図８は図６のＶ６−Ｖ６線における断面図である。
【００５７】
この図６ないし８に示されるＰＤＰは、前面ガラス基板１０の背面に行電極対（Ｘｏ，Ｙｏ）が図１ないし５の第１の例のＰＤＰと同様の態様で配列されている。そして、前面ガラス基板１０の背面には、梯子状の隔壁３５および隙間ＳＬの表示側の面に対向する部分に、全て、黒色の光吸収層（遮光層）４０が形成されている。
【００５８】
行電極Ｘｏ，Ｙｏのそれぞれのバス電極Ｘｏｂ，Ｙｏｂは、主導電層のみの一層構造に形成されており、光吸収層（遮光層）４０の背面に位置するように配置されている。他の構造は図１ないし５の第１の実施例と同様であり、放電空間Ｓを区画する隔壁３５の横壁３５ｂは、表示ラインＬ間に設けられた間隙ＳＬにより列方向に分離され、この分離された横壁３５ｂの各部分３５ｂ'の幅が、それぞれ縦壁３５ａの幅と略同一になっている。
【００５９】
上記ＰＤＰも、図１ないし５の例の場合と同様に、間隙ＳＬによって列方向に分離された各部分３５ｂ'の幅が、それぞれ縦壁３５ａの幅と略同一になっているので、隔壁３５の焼成時の収縮にばらつきが少なくなり、これによって、前面ガラス基板１０や背面ガラス基板１３の反りおよび隔壁３５の破損などによる放電セル形状の変形が生じる虞がない。
【００６０】
さらにこのＰＤＰは、前面ガラス基板１０の背面の放電空間Ｓに対向する部分以外の部分が、光吸収層（遮光層）４０によってカバーされていることにより、前面ガラス基板１０を通して入射してくる外光が反射されるのを防止して、表示画面のコントラストを向上させることができる。
【００６１】
次に、この発明の実施形態における第３の例を、図９に基づいて説明する。図９は、この第３の例におけるＰＤＰの行電極対と隔壁との関係を模式的表す平面図である。
【００６２】
この第３の例のＰＤＰは、列方向に配列された表示ラインＬi-1'，Ｌi'，Ｌi+1 '…において、行電極が、（Ｙi-1'，Ｘi-1''），（Ｘi'，Ｙi'），（Ｙi+1'，Ｘi+1'）…というように、表示ライン毎に交互にその配置が入れ替えられて配列されており、さらに、隣接する表示ラインにおいて、互いに背中合わせに配置される行電極Ｘi-1'とＸi'の透明電極Ｘai-1'とＸai'のそれぞれの基端部が連結されて一体的に形成され、さらに、行電極Ｙi'とＹi+1' のそれぞれの透明電極Ｙai'とＹai+1'の基端部が連結されて一体的に形成されている。
【００６３】
そして、上記の配置によって、列方向において隣接する表示ラインにおいて、互いに背中合わせに配置される行電極Ｘi-1'とＸi'のそれぞれ透明電極Ｘａi-1'とＸａi'とが、共通のバス電極Ｘｂｊ'に接続されており、さらに、列方向において隣接する表示ラインにおいて、互いに背中合わせに配置される行電極Ｙi'とＹi+1' のそれぞれ透明電極Ｙａi'とＹａi+1'とが、共通のバス電極Ｙｂｊ'に接続されている。
【００６４】
この例においても、前述した第１および第２の例と同様に、放電空間Ｓを区画する隔壁３５の横壁３５ｂには、表示ラインＬ間に設けられた隙間によって列方向に分離され、この分離された横壁３５ｂの各部分３５ｂ'の幅が、それぞれ縦壁３５ａの幅と略同一になっている。
【００６５】
上記ＰＤＰも、隙間ＳＬによって列方向に分離された各部分３５ｂ'の幅が、それぞれ縦壁３５ａの幅と同一になっているので、隔壁３５の焼成時の収縮にばらつきが少なくなり、これによって、前面ガラス基板や背面ガラス基板の反りおよび隔壁３５の破損などによる放電セル形状の変形が生じる虞がない。
【００６６】
また、このＰＤＰは、隣接する表示ラインにおいて、互いに背中合わせに配置される行電極Ｘi'とＸi+1' が、バス電極Ｘｂｊ'を共用しており、さらに、互いに背中合わせに配置される行電極Ｙi''とＹi+1'が、バス電極Ｙｂj'を共用していることにより、このバス電極Ｘｂｊ'とＹｂｊ'の設置面積が、図１ないし５のＰＤＰのバス電極の設置面積よりもさらに小さくなる。
【００６７】
従って、バス電極Ｘｂｊ'およびＹｂｊ'に対向する隔壁２５'の横壁２５ｂ'の幅をそれぞれ図１ないし５のＰＤＰと比べてさらに小さくでき、その分、放電空間Ｓ１'の容積を大きくして、この放電空間Ｓ１'内に形成される蛍光体層の表面積をさらに増加させることができるので、表示画面の輝度が増加される。
【００６８】
さらに、バス電極Ｘｂｊ'およびＹｂｊ'の共用によって、放電電流を低減することが出来る。ここで、バス電極Ｘｂｊ'およびＹｂｊ'をそれぞれ黒色導電層と主導電層の二層にするか、または、バス電極Ｘｂｊ'，Ｙｂｊ'は一層構造にして、このバス電極Ｘｂｊ'，Ｙｂｊ'と前面ガラス基板との間にバス電極Ｘｂｊ'，Ｙｂｊ'の表側に位置するように黒色の光吸収層を形成することにより、前面ガラス基板を通して入射してくる外光が反射されるのを防止して、表示画面のコントラストを向上させることができる。
【００６９】
次に、この発明の実施形態における第４の例を、図１０に基づいて説明する。この図１０は、この第４の例におけるＰＤＰの行電極対と隔壁との関係を模式的に表す平面図である。この第４の例のＰＤＰは、図１ないし５の第１の例におけるＰＤＰの行電極ＸとＹが列方向に交互に配置されていたのに対し、列方向に配列された表示ラインＬi，Ｌi+1…において、行電極が、（Ｙi，Ｘi），（Ｘi+1，Ｙi+1）…というように、表示ライン毎に交互にその配置が入れ替えられて配列されている。
【００７０】
そして、上記の配置によって、列方向において隣接する表示ラインＬi，Ｌi+1において、行電極対（Ｙi, Ｘi）と（Ｘi+1，Ｙi+1）の互いに背中合わせに配置される行電極ＸiとＸi+1 のそれぞれ透明電極ＸａiとＸａi+1 とが、共通のバス電極Ｘｂｊに接続されている。
【００７１】
この例においても、前述した各例と同様に、放電空間Ｓを区画する隔壁４５の横壁４５ｂ１および４５ｂ２は、表示ラインＬ間に設けられた隙間ＳＬ１，ＳＬ２によって列方向に分離され、この隙間ＳＬ１，ＳＬ２によって分離された横壁４５ｂ１，４５ｂ２の各部分４５ｂ１'，４５ｂ２'の幅が、それぞれ縦壁４５ａの幅と略同一になっている。
【００７２】
上記ＰＤＰも、隙間ＳＬ１，ＳＬ２によって列方向に分離された横壁４５ｂ１，４５ｂ２の各部分４５ｂ１'，４５ｂ２'の幅が、それぞれ縦壁４５ａの幅と略同一になっているので、隔壁４５の焼成時の収縮にばらつきが少なくなり、これによって、前面ガラス基板や背面ガラス基板の反りおよび隔壁４５の破損などによる放電セル形状の変形が生じる虞がない。
【００７３】
さらに、この第４の例におけるＰＤＰは、隣接する表示ラインにおいて、互いに背中合わせに配置される行電極ＸiとＸi+1 が、バス電極Ｘｂｊを共用しており、このバス電極Ｘｂｊの設置面積が小さくなる。従って、バス電極Ｘｂｊに対向する隔壁４５の横壁４５ｂ１の幅を小さくでき、その分、放電空間Ｓ１の容積を大きくして、この放電空間Ｓ１内に形成される蛍光体層の表面積を増加させることができるので、表示画面の輝度が増加される。さらに、バス電極Ｘｂｊの共用によって、放電電流を低減することが出来る。
【００７４】
次に、この発明の実施形態における第５の例を、図１１ないし１５に基づいて説明する。ここで、図１１はこの第５の例におけるＰＤＰを模式的に表す平面図であり、図１２は図１１のＶ７−Ｖ７線における断面図、図１３は図１１のＶ８−Ｖ８線における断面図、図１４は図１１のＷ７−Ｗ７線における断面図、図１５は図１１のＷ８−Ｗ８線における断面図である。
【００７５】
この図１１ないし１５に示されるＰＤＰは、表示面である前面ガラス基板１０の背面に、複数の行電極対（Ｘ，Ｙ）が、前面ガラス基板１０の行方向（図１１の左右方向）に延びるように平行に配列されている。行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００７６】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。この行電極ＸとＹは、前面ガラス基板１０の列方向（図１１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００７７】
バス電極Ｘｂ，Ｙｂは、それぞれ表示面側の黒色導電層Ｘｂ'，Ｙｂ'と背面側の主導電層Ｘｂ”，Ｙｂ”の二層構造に形成されている。前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、梯子状の隔壁３５の縦壁３５ａに対向する部分に、光吸収層（遮光層）３１が形成されている。以上の構成については、第１の例のＰＤＰの構造とほぼ同様である。
【００７８】
前面ガラス基板１０の背面には、さらに、行電極対（Ｘ，Ｙ）を被覆するように誘電体層６１が形成されている。この誘電体層６１には、第１の例の嵩上げ誘電体層に相当する構成は備えていない。この誘電体層６１の背面側には、ＭｇＯからなる保護層６２が形成されている。
【００７９】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。背面ガラス基板１３の表示側の面上には、さらに、列電極Ｄを被覆する白色の誘電体層１４が形成され、この誘電体層１４上に、隔壁６５が形成されている。
【００８０】
この隔壁６５は、互いに平行に配列された各列電極Ｄの間の位置において列方向に延びる縦壁６５ａと、行方向に延びる横壁６５ｂとによって梯子状に形成されており、その表面が保護層６２の背面側に接触している。
【００８１】
そして、この梯子状の隔壁６５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。
【００８２】
そして、この放電空間Ｓを区画する隔壁６５の縦壁６５ａには、隣接する放電空間Ｓを連通させるスリットｓｌが形成されている。また、この隔壁６５の横壁６５ｂは、表示ラインＬ間の光吸収層３０と対向する位置に設けられた隙間ＳＬによって列方向に分離されている。この隙間ＳＬによって分離された横壁６５ｂの各部分６５ｂ'の幅は、それぞれ縦壁６５ａの幅と略同一になるようにスリットＳＬの幅が設定されている。
【００８３】
放電空間Ｓに面する隔壁６５の縦壁６５ａおよび横壁６５ｂの側面と誘電体層１４の表面には、これらの五つの面を全て覆うように蛍光体層１６が、それぞれ順に形成されている。
【００８４】
この蛍光体層１６の色は、各放電空間Ｓ毎にＲ，Ｇ，Ｂの色が行方向に順に並ぶように設定される（図１４参照）。そして、放電空間Ｓ内には、放電ガスが封入されている。上記のＰＤＰは、行電極対（Ｘ，Ｙ）がそれぞれマトリクス表示画面の１表示ライン（行）Ｌを構成し、また、梯子状の隔壁３５によって区画された放電空間Ｓが、それぞれ一つの放電セルＣを画定している。
【００８５】
このＰＤＰにおける画像表示は、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。
【００８６】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００８７】
以上のようにして、点灯セルにおける面放電により紫外線が発生され、放電空間Ｓ内のＲ，Ｇ，Ｂの各蛍光体層１６がそれぞれ励起されて発光することにより、表示画面が形成される。
【００８８】
上記ＰＤＰは、隔壁６５の表面が保護層６２の背面に接触して放電空間Ｓを遮蔽しているが、縦壁６５ａに形成されたスリットｓｌによって互いに隣接する放電空間Ｓが連通されていることによって、封入されている放電ガスおよびプライミング粒子の隣接する放電空間Ｓへの移動が可能になっており、これによって、隣接する放電セルＣ間において連鎖的に放電が行われるようになる。
【００８９】
さらに、放電空間Ｓを区画する隔壁６５の横壁６５ｂが隙間ＳＬによって列方向に分離され、この分離された各部分６５ｂ'の幅が、それぞれ縦壁６５ａの幅と略同一になるように設定されているので、隔壁６５の焼成時の収縮にばらつきが少なくなり、これによって、前面ガラス基板１０や背面ガラス基板１３の反りおよび隔壁６５の破損などによる放電セル形状の変形が生じる虞がない。
【００９０】
次に、この発明の実施形態における第６の例を、図１６に基づいて説明する。この第６の例によるＰＤＰは、上記第５の例のＰＤＰにおいて互いに隣接する放電空間Ｓを連通するスリットが隔壁の縦壁に形成されていたのに対し、隔壁６５の横壁６５ｂの透明電極Ｘａ，Ｙａとバス電極Ｘｂ，Ｙｂがそれぞれ重なっている位置とは別の位置に、スリットｓｌ'が形成されていて、列方向において隣接する放電空間Ｓが互いに連通されるようになっている。他の構成は、第５の例のＰＤＰと同様である。
【００９１】
このスリットｓｌ'が隔壁６５の横壁６５ｂの透明電極Ｘａ，Ｙａとバス電極Ｘｂ，Ｙｂがそれぞれ重なっている位置とは別の位置に設けられるのは、隔壁６５の横壁６５ｂによって押さえて放電の広がりを抑制しているためである。上記第１ないし６の各例においては、梯子状の隔壁を白色の一層構造にした例を示したが、少なくとも縦壁部分を、表側を黒色層に背面側を白色層にした二層構造にしてもよい。さらにまた、それぞれの例において、二層構造のバス電極の黒色導電層および光吸収層を黒色の他、暗褐色等の光を吸収する暗色に色付けするようにしても良い。
【００９２】
次に、この発明の実施形態における第７の例を、図１７に基づいて説明する。図１７は、この第７の例のＰＤＰにおいて、ＲＧＢの三色に色分けされた三個の放電セルＣによって構成される画素の構成を模式的に表す平面図である。この図１７において、梯子状の隔壁１５Ａによって区画される放電セルＣは、列方向において直線状に配置され、列電極ＤＡは直線状に形成されている。
【００９３】
そして、各放電セルＣの蛍光体層の色が、表示ラインＬ方向（行方向）においてＲ，Ｇ，Ｂの順に並ぶように設定されており、さらに、表示ラインＬ方向に対して直角な方向（列方向）において同じ色の放電セルＣが並ぶように配列されている。
【００９４】
この例におけるＰＤＰは、図に示されるように、表示ラインＬ方向に並ぶＲ，Ｇ，Ｂの三個の放電セルＣによって一つの画素ＧＡが構成され、従って、列方向において画素ＧＡが直線上に配列される。
【００９５】
そして、隔壁１５Ａの横壁１５Ａｂは、表示ラインＬ間に設けられた隙間ＳＬによって分離され、この分離された各部分１５Ａｂ'の幅が、それぞれ縦壁１５Ａａの幅と略同一になるように設定されているので、隔壁１５Ａの焼成時の収縮にばらつきが少なくなり、これによって、ＰＤＰを構成する前面ガラス基板や背面ガラス基板の反りおよび隔壁１５Ａの破損などによる放電セル形状の変形が生じる虞がない。
【００９６】
次に、この発明の実施形態における第８の例を、図１８に基づいて説明する。図１８は、この第８の例のＰＤＰにおいて、ＲＧＢの三色に色分けされた三個の放電セルＣによって構成される画素の構成を模式的に表す平面図である。この図１８において、放電セルＣは、上述した第７の例の場合と同様に梯子状の隔壁１５Ｂによって区画されて列方向において直線状に配置され、列電極ＤＢも直線状に形成されているが、各放電セルＣの蛍光体層のＲ，Ｇ，Ｂの色が、列方向において隣接する二つの表示ラインＬにおいて互いに一個ずつ表示ラインＬ方向にずれるように、設定されている。
【００９７】
一つの画素ＧＢは、図に示されるように、表示ラインＬ方向に並ぶＲ，Ｇ，Ｂの三個の放電セルＣによって構成され、従って、画素ＧＢは、列方向において隣接する二つの表示ラインＬにおいて、互いに放電セルＣが一個ずつ表示ラインＬ方向にずれるように配列される。
【００９８】
この例におけるＰＤＰは、上記のように画素ＧＢが表示ラインＬ毎に放電セルＣが一個ずつずれるように配置されることによって、表示画面の解像度を向上することが出来る。そして、隔壁１５Ｂの横壁１５Ｂｂは、表示ラインＬ間に設けられた隙間ＳＬによって列方向に分離され、この分離された各部分１５Ｂｂ'の幅が、それぞれ縦壁１５Ｂａの幅と略同一になるように設定されているので、隔壁１５Ｂの焼成時の収縮にばらつきが少なくなり、これによって、ＰＤＰを構成する前面ガラス基板や背面ガラス基板の反りおよび隔壁１５Ｂの破損などによる放電セル形状の変形が生じる虞がない。
【００９９】
次に、この発明の実施形態における第９の例を、図１９に基づいて説明する。図１９は、この第９の例のＰＤＰにおいて、ＲＧＢの三色に色分けされた三個の放電セルＣによって構成される画素の構成を模式的に表す平面図である。この図１９において、列方向において隣接する二つの表示ラインＬに配列される放電セルＣは、梯子状の隔壁１５Ｃによって、互いに放電セルＣの幅方向の寸法の半分ずつ表示ラインＬ方向にずれるように区画されている。
【０１００】
そして、各放電セルＣの蛍光体層のＲ，Ｇ，Ｂの色が、列方向において隣接する二つの表示ラインＬの互いに半分ずつ表示ラインＬ方向にずれるように配置された放電セルＣにおいて同じになるように、設定されている。このため、列電極ＤＣは、列方向において隣接する二つの表示ラインＬにおいて半分ずつ表示ラインＬ方向にずれるように配置された放電セルＣに対応して、ジグザグに屈曲する形状に形成されている。
【０１０１】
一つの画素ＧＣは、図に示されるように、表示ラインＬ方向に並ぶＲ，Ｇ，Ｂの三個の放電セルＣによって構成され、従って、画素ＧＣは、列方向において隣接する二つの表示ラインＬにおいて、互いに放電セルＣが半分ずつ表示ラインＬ方向にずれるように配列される。
【０１０２】
この例におけるＰＤＰは、上記のように画素ＧＣが表示ラインＬ毎に放電セルＣが半分ずつずれるように配置されることによって、表示画面の解像度を向上することが出来る。そして、梯子状の隔壁１５Ｃが、表示ラインＬ間に設けられた隙間ＳＬによって列方向に分離され、この分離された各部分１５Ｃｂ'の幅が、それぞれ縦壁１５Ｃａの幅と略同一になるように設定されているので、隔壁１５Ｃの焼成時の収縮にばらつきが少なくなり、これによって、ＰＤＰを構成する前面ガラス基板や背面ガラス基板の反りおよび隔壁１５Ｃの破損などによる放電セル形状の変形が生じる虞がない。
【０１０３】
次に、この発明の実施形態における第１０の例を、図２０に基づいて説明する。 図２０は、この第１０の例のＰＤＰにおいて、ＲＧＢの三色に色分けされた三個の放電セルＣによって構成される画素の構成を模式的に表す平面図である。この図２０において、列方向において隣接する二つの表示ラインＬに配列される放電セルＣは、隔壁１５Ｄによって、上記第９の例の場合と同様に、互いに放電セルＣの幅方向の寸法の半分ずつ表示ラインＬ方向にずれるように区画されている。
【０１０４】
そして、各放電セルＣの蛍光体層のＲ，Ｇ，Ｂの色が、列方向において隣接する表示ラインＬにおいて互いに放電セルＣの幅方向の寸法の１．５倍の寸法ずつ表示ラインＬ方向にずれるように、設定されている。このため、列電極ＤＤは、列方向において隣接する二つの表示ラインＬにおいて幅方向の寸法の半分ずつ表示ラインＬ方向にずれるように配置された放電セルＣに対応して、ジグザグに屈曲する形状に形成されている。
【０１０５】
一つの画素ＧＤは、図に示されるように、列方向において隣接する二つの表示ラインＬにまたがってデルタ状に位置するＲ，Ｇ，Ｂの三個の放電セルＣによって構成される。
【０１０６】
この例におけるＰＤＰは、上記のように、一つの画素ＧＤがデルタ状に位置する三個の放電セルＣによって構成されることによって、表示画面の解像度を向上することができる。そして、梯子状の隔壁１５Ｄが表示ラインＬ間に設けられた隙間ＳＬを介して互いに平行になるように配置され、この各横壁１５Ｄｂの各部分１５Ｄｂ'の幅が、それぞれ縦壁１５Ｄａの幅と略同一になるように設定されているので、隔壁１５Ｄの焼成時の収縮にばらつきが少なくなり、これによって、ＰＤＰを構成する前面ガラス基板や背面ガラス基板の反りおよび隔壁１５Ｄの破損などによる放電セル形状の変形が生じる虞がない。
【０１０７】
図２１は、図１ないし２０の各例における隔壁の形状と配置を示すものである。 この隔壁１５Ａは、それぞれ、梯子状に形成された縦壁１５Ａａと横壁１５Ａｂによって、放電セルＣが一列に並ぶように放電空間を区画している。そして、各隔壁１５Ａが表示ラインＬに沿って互いに平行に延びるように、かつ、互いに隣接する隔壁１５Ａの横壁１５Ａｂが隙間ＳＬを挟んで対向するように列方向に配置されている。
【０１０８】
この隔壁１５Ａの右端および左端に位置する放電セルＣ'は、それぞれダミーセルとなっている。そして、このダミーセルＣ'を区画している隔壁１５Ａの外側の角部に、それぞれ面取り１５Ａｃが施されている。この面取り１５Ａｃは、図に示されるように直線状でも良いが、曲線状に施しても良い。
【０１０９】
この面取り１５Ａｃは、隔壁１５Ａの角部の盛り上がりを防止するためのものである。すなわち、隔壁１５Ａの角部に盛り上がりが生じると、前面基板と背面基板を重ね合せたとき、前面基板が盛り上がり部（すなわち、基板の周辺部）にのみ接触してその他の部分（中央部分）が浮いた状態になるため、プラズマディスプレイパネルの駆動時に基板に振動が生じて振動音が発生するが、隔壁１５Ａの角部に施された面取り１５Ａｃによって盛り上がりが防止されることにより、基板と隔壁１５Ａとが一様に接することになり、上記のような振動の発生が防止される。
【０１１０】
本発明の実施形態に係る発明の特徴をまとめると以下のとおりである。
【０１１１】
一つには、前面基板（前面ガラス基板１０）の背面側に、行方向に延び列方向に並設されてそれぞれ表示ラインを形成する複数の行電極対Ｘ，Ｙとこの行電極対を被覆する第1の誘電体層１１とが設けられ、背面基板（背面ガラス基板１３）における前記前面基板と放電空間Ｓを介して対向する側に、列方向に延び行方向に並設されて行電極対と交差する位置においてそれぞれ放電空間に単位発光領域を構成する複数の列電極Ｄと、この列電極を被覆する第２の誘電体層１４とが設けられたプラズマディスプレイパネルにおいて、前記前面基板と前記背面基板との間に配置されて列方向に延びる縦壁部３５ａと行方向に延びる横壁部３５ｂによって前記放電空間を前記単位発光領域毎に行方向と列方向に区画する隔壁を備え、前記縦壁部及び前記横壁部の側面と、前記第２の誘電体層の表面には蛍光体層が形成され、前記一対の行電極は、それぞれ、行方向に伸びる本体部Ｘｂ，Ｙｂと、この本体部から列方向に突出して前記単位発光領域毎に放電ギャップｇを介して互いに対向する突出部Ｘａ，Ｙａとを有し、互いに隣接する行に沿って並ぶ前記単位発光領域の間の横壁部が行方向と平行な隙間ＳＬによって分離されている。
【０１１２】
このプラズマディスプレイパネルは、列方向に延びる縦壁部と行方向に延びる横壁部を有する隔壁によって、前面基板と背面基板の間の放電空間が、単位発光領域毎に区画される。そして、互いに隣接する行に沿って並ぶ単位発光領域の間の横壁部が行方向と平行な隙間によって分離されていることによって、分離された各横壁部の列方向の幅が縮小される。
【０１１３】
これによれば、前面基板と背面基板の間の放電空間が隔壁によって発光領域毎に行方向および列方向においてそれぞれ区画されているので、この列方向において隣接する単位発光領域間で放電の干渉が生じて誤放電が発生するのを防止することが出来、これによって、画面の高精細化を図ることが可能になるとともに、隔壁の横壁部が隙間によって上下方向に分離されているので、分離されている各横壁部の列方向の幅が縮小されるので、それぞれの幅と隔壁の縦壁部の幅との差が小さくなり、これによって、隔壁の焼成時の収縮にばらつきが少なくなって、前面基板や背面基板の反りおよび隔壁の破損などによる単位発光領域の放電空間の形状が変形する虞がない。
【０１１４】
また、一つには、前述したプラズマディスプレイパネルにおいて、前記縦壁部及び前記横壁部によって区画された前記放電空間がそれぞれ放電セルＣを形成し、前記放電セルにおいて前記行電極対と前記列電極との間で点灯セルと消灯セルを選択する選択放電が行われ、前記行電極対に対して放電維持パルスが印加されて、前記選択放電によって選択された前記点灯セルにおいて面放電が発生することを特徴とする。
【０１１５】
これによると、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。これによって、各放電セルＣでアドレス操作時の予備放電と放電維持パルス印加時の維持放電を行う構成になっている。
【０１１６】
また、一つには、前述の構成に加えて、前記間隙によって上下に分割された隔壁の横壁部の各部分の列方向の幅が、隔壁の列方向に延びる縦壁部の行方向の幅とほぼ同一になっていることを特徴としている。すなわち、隙間によって分離された隔壁の各部分の幅が、それぞれ縦壁部の幅と同一になるように設定されている。
【０１１７】
これによれば、隔壁の焼成時の収縮にばらつきがほとんどなくなるので、前面基板や背面基板の反りおよび隔壁の破損などによる単位発光領域の放電空間の形状の変形がさらに確実に防止される。
【０１１８】
また、一つには、前述の構成に加えて、前記第１の誘電体層の前記隔壁の横壁部に対向する部分に、横壁部側に張り出すように形成されて横壁部との間を閉じる嵩上げ部１１Ａが形成されていることを特徴としている。すなわち、第１の誘電体層の隔壁の横壁部に対向する部分に横壁部側に張り出すように形成された嵩上げ部によって、隔壁によって単位発光領域毎に区画されて列方向に配列された放電空間の間が、対向する隔壁の横壁部との間で遮蔽される。
【０１１９】
これによれば、列方向に並ぶ放電空間の間が誘電体層の嵩上げ部によって遮蔽されているので、この列方向において隣接する単位発光領域間で放電の干渉が生じて誤放電が発生するのを防止することが出来、これによって、画面の高精細化を図ることが可能になる。
【０１２０】
また、一つには、前述の構成に加えて、前記隔壁の一部に、隣接する前記単位発光領域毎の放電空間を互いに連通するスリットｓｌが形成されていることを特徴としている。すなわち、隔壁の表面が前面基板側に接触して放電空間を遮蔽している場合に、隔壁の一部に形成されたスリットを介して、行方向または列方向において互いに隣接する単位発光領域毎の放電空間が連通される。
【０１２１】
これによれば、放電空間内に封入されている放電ガスおよびプライミング粒子の隣接する放電空間への移動が可能になり、これによって、隣接する単位発光領域毎の放電空間の間において連鎖的に放電が行われるようになる。
【０１２２】
また一つには、前述の構成に加えて、前記スリットは、前記隔壁の縦壁部に形成されていることを特徴としている。すなわち、隔壁の表面が前面基板側に接触して放電空間を遮蔽している場合に、隔壁の縦壁部に形成されたスリットを介して、行方向において互いに隣接する単位発光領域毎の放電空間が連通される。
【０１２３】
これによれば、放電空間内に封入されている放電ガスおよびプライミング粒子の隣接する放電空間への移動が可能になり、これによって、行方向において隣接する単位発光領域毎の放電空間の間において連鎖的に放電が行われるようになる。
【０１２４】
また、一つには、前述の構成に加えて、前記スリットは、前記隔壁の横壁部に形成されていることを特徴としている。すなわち、隔壁の表面が前面基板側に接触して放電空間を遮蔽している場合に、隔壁の横壁部に形成されたスリットを介して、列方向において互いに隣接する単位発光領域毎の放電空間が連通される。
【０１２５】
これによれば、放電空間内に封入されている放電ガスおよびプライミング粒子の隣接する放電空間への移動が可能になり、これによって、列方向において隣接する単位発光領域毎の放電空間の間において連鎖的に放電が行われるようになる。
【０１２６】
また、一つには、前述の構成に加えて、前記前面基板の前記隙間に対向する部分に、第１光吸収層３０，３１が設けられていることを特徴としている。すなわち、前面基板の隔壁の横壁部に対向する部分に、黒色や暗褐色等の光を吸収する暗色に色付けされた光吸収層が形成され、さらに、行電極の電極本体部の前面基板側の面がこの光吸収層によってカバーされている。
【０１２７】
これによれば、前面基板を通して前面基板の隔壁の横壁部間の隙間に対向する部分に入射してくる外光が、光吸収層によって吸収されるので、反射が防止されて、表示画面のコントラストを向上させることができる。
【０１２８】
また、一つには、前述の構成に加えて、前記前面基板の背面側の前記隔壁の縦壁部に対向する部分に、第２光吸収層４０が設けられていることを特徴としている。すなわち、前面基板の背面側の隔壁の縦壁部に対向する部分に、黒色や暗褐色等の光を吸収する暗色に色付けされた光吸収層が形成され、さらに、行電極の電極本体部の前面基板側の面がこの光吸収層によってカバーされている。
【０１２９】
これによれば、前面基板を通して前面基板の隔壁の横壁部に対向する部分に入射してくる外光が、光吸収層によって吸収されるので、反射が防止されて、表示画面のコントラストを向上させることができる。
【０１３０】
また、一つには、前述の構成に加えて、前記隔壁の少なくとも縦壁部が、その表示面側に形成された光吸収層と背面側に形成された光反射層の二層構造になっていることを特徴としている。すなわち、放電空間を区画する隔壁の少なくとも縦壁部の前面基板に対向する面に、黒色や暗褐色等の光を吸収する暗色に色付けされた光吸収層が形成され、他の部分が光反射層になっている。
【０１３１】
これによれば、前面基板を通して入射してくる外光が隔壁の少なくとも縦壁部に形成された光吸収層によって吸収されて反射が防止されるので、表示画面のコントラストを向上させることができる。そして、他の部分が光反射層になっているので、放電空間内における放電の際の発光を反射して、画面の輝度を増加させることができる。
【０１３２】
また、一つには前述の構成に加えて、前記一対の行電極における本体部が金属膜によって形成され、該突出部は、その基端部が前記本体部に接続されるとともに前記単位発光領域毎に島状に独立して設けられていることを特徴としている。すなわち、行電極対を構成するそれぞれの行電極が、行方向に延びる電極の金属膜によって形成された本体部から単位発光領域毎に対となる他の行電極の方向に張り出して所要の放電ギャップを介して互いに対向する透明導電膜によって形成された突出部を備え、それぞれ単位発光領域毎に島状に独立するように構成されている。
【０１３３】
これによれば、行電極対を構成するそれぞれの行電極が単位発光領域毎に島状に独立するように構成されているために、画面の精細度を上げるために各単位発光領域のサイズを小さくしても、行方向において隣接する単位発光領域ヘの放電の干渉が生じる虞は無い。
【０１３４】
また、一つには、前述の構成に加えて、前記本体部の表示面側に光吸収層が設けられていることを特徴としている。すなわち、行電極の本体部の前面基板に対向する面に、黒色や暗褐色等の光を吸収する暗色に色付けされた光吸収層が形成されている。
【０１３５】
これによれば、前面基板を通して入射してくる外光が行電極の本体部に形成された光吸収層によって吸収されることにより、反射が防止されるので、表示画面のコントラストを向上させることができる。
【０１３６】
また、一つには、前述の構成に加えて、前記一対の行電極のうち少なくとも一方の行電極が、互いに隣接する表示ライン間において前記本体部を共用していることを特徴としている。すなわち、行電極対を構成する一対の行電極が表示ライン毎に交互に入れ替えられて隣接する表示ラインにおいて同じ極の行電極が互いに背中合わせに配置されている状態で、少なくとも一方の極の行電極が同一の本体部を共用している。
【０１３７】
これによれば、隣接する表示ラインにおいて互いに背中合わせに配置される行電極が同一の本体部を共用していることによって、この本体部の設置面積を小さくすることが出来、これによって、本体部に対向する隔壁の横壁部の幅を小さくできるので、その分、単位発光領域のサイズを大きくしてこの単位発光領域内に形成される蛍光体層の表面積を増加させることができ、表示画面の輝度が増加される。さらに、本体部の共用によって、放電電流を低減することが出来る。
【０１３８】
また、一つには、前述の構成に加えて、前記隔壁によって区画された前記単位発光領域が、列方向において直線状に配置され、各単位発光領域内に蛍光体層が形成され、この蛍光体層の色が行方向において赤，緑，青の順に設定されるとともに、同じ色の蛍光体層を有する単位発光領域が列方向において直線状に配置され、行方向に並ぶ赤，緑，青に色分けされた三つの単位発光領域によって一つの画素が構成されることを特徴としている。すなわち、隔壁によって区画された単位発光領域がマトリクス状に配置され、各単位発光領域の色が行方向において赤，緑，青の順に設定されるとともに、同じ色の蛍光体層を有する単位発光領域が列方向において直線状に配置されるように設定されている。そして、表示画面を構成する画素が、行方向に並ぶ赤，緑，青に色分けされた三つの単位発光領域を単位として構成される。
【０１３９】
また、一つには、前述の構成に加えて、前記隔壁によって区画された前記単位発光領域が、列方向において直線状に配置され、各単位発光領域内に蛍光体層が形成され、この蛍光体層の色が行方向において赤，緑，青の順に設定されるとともに、この蛍光体層の色が隣接する二つの表示ラインの互いに行方向に一つ分ずつずれる単位発光領域において同じになるように設定され、行方向に並ぶ赤，緑，青に色分けされた三つの単位発光領域によって一つの画素が構成されることを特徴としている。すなわち、隔壁によって区画された単位発光領域がマトリクス状に配置され、各単位発光領域の色が行方向において赤，緑，青の順に設定されるとともに、蛍光体層の色が行方向において赤，緑，青の順に設定されるとともに、同じ色の単位発光領域が隣接する二つの表示ラインにおいて互いに行方向に一つ分ずつずれるように設定されている。そして、表示画面を構成する画素が、行方向に並ぶ赤，緑，青に色分けされた三つの単位発光領域を単位として構成される。
【０１４０】
これによれば、画素が、表示ライン毎に行方向に単位発光領域放電の一個分ずつずれるように配置されることによって、表示画面の解像度を向上させることが出来る。
【０１４１】
また、一つには、前述の構成に加えて、前記隔壁によって区画された前記単位発光領域が、隣接する二つの表示ラインにおいて互いに行方向に単位発光領域の幅方向の寸法の半分ずつずれるように配置され、各単位発光領域内に蛍光体層が形成され、この蛍光体層の色が行方向において赤，緑，青の順に設定されるとともに、この蛍光体層の色が隣接する二つの表示ラインの互いに行方向に幅方向の寸法の半分ずつずれる単位発光領域において同じになるように設定され、行方向に並ぶ赤，緑，青に色分けされた三つの単位発光領域によって一つの画素が構成されることを特徴としている。すなわち、隔壁によって区画された単位発光領域が隣接する二つの表示ラインにおいて互いに行方向に半分ずつずれるように配置され、各単位発光領域の色が行方向において赤，緑，青の順に設定されるとともに、同じ色の単位発光領域が隣接する二つの表示ラインにおいて互いに行方向に半分ずつずれる位置に位置されるように設定されている。そして、表示画面を構成する画素が、行方向に並ぶ赤，緑，青に色分けされた三つの単位発光領域を単位として構成される。
【０１４２】
これによれば、画素が、表示ライン毎に行方向に単位発光領域放電の半分ずつずれるように配置されることによって、表示画面の解像度を向上させることが出来る。
【０１４３】
また、一つには、前述の構成に加えて、前記隔壁によって区画された前記単位発光領域が、隣接する二つの表示ラインにおいて互いに行方向に単位発光領域の幅方向の寸法の半分ずつずれるように配置され、各単位発光領域内に蛍光体層が形成され、この蛍光体層の色が行方向において赤，緑，青の順に設定されるとともに、この蛍光体層の色が隣接する二つの表示ラインの互いに行方向に幅方向の寸法の１．５倍ずつずれる単位発光領域において同じになるように設定され、隣接する二つの表示ライン行方向に跨ってデルタ状に配置される赤，緑，青に色分けされた三つの単位発光領域によって一つの画素が構成されることを特徴としている。すなわち、隔壁によって区画された単位発光領域が隣接する二つの表示ラインにおいて互いに行方向に半分ずつずれるように配置され、各単位発光領域の色が行方向において赤，緑，青の順に設定されるとともに、同じ色の単位発光領域が隣接する二つの表示ラインにおいて互いに行方向に一つと半分ずつずれる位置に位置されるように設定されている。
【０１４４】
そして、表示画面を構成する画素が、列方向において隣接する二つの表示ラインにまたがってデルタ状に位置する赤，緑，青に色分けされた三つの単位発光領域を単位として構成される。
【０１４５】
これによれば、一つの画素を構成する三つの単位発光領域がデルタ状に配置されることによって、表示画面の解像度を向上させることができる。
【０１４６】
また、一つには、前述の構成に加えて、行方向に沿って並ぶ前記単位発光領域の最も外側に位置する単位発光領域を区画する隔壁の外側角部に面取りが施されていることを特徴としている。すなわち、行方向に一列に並ぶ単位発光領域のそれぞれ最も外側に位置する単位発光領域を区画している隔壁の外側角部に面取りが施されることによって、隔壁の角部に盛り上がりが生じるのが防止される。
【０１４７】
これによって、隔壁の角部に盛り上がりが生じや場合には前面基板と背面基板を重ね合せたときに前面基板が盛り上がり部（すなわち、基板の周辺部）にのみ接触してその他の部分（中央部分）が浮いた状態になりプラズマディスプレイパネルの駆動時に基板に振動が生じて振動音が発生するが、隔壁の角部に施された面取りによる隔壁の角部の盛り上がりの防止により、基板と隔壁とが一様に接することになり、上記のような振動の発生が防止される。
【図面の簡単な説明】
【０１４８】
【図１】この発明の第１の例を模式的に表す平面図である。
【図２】図１のＶ３−Ｖ３線における断面図である。
【図３】図１のＶ４−Ｖ４線における断面図である。
【図４】図１のＷ３−Ｗ３線における断面図である。
【図５】図１のＷ４−Ｗ４線における断面図である。
【図６】この発明の第２の例を模式的に表す平面図である。
【図７】図６のＶ５−Ｖ５線における断面図である。
【図８】図６のＶ６−Ｖ６線における断面図である。
【図９】この発明の第３の例におけるＰＤＰの行電極対と隔壁との関係を模式的に表す平面図である。
【図１０】この発明の第４の例を模式的に表す平面図である。
【図１１】この発明の第５の例を模式的に表す平面図である。
【図１２】図１１のＶ７−Ｖ７線における断面図である。
【図１３】図１１のＶ８−Ｖ８線における断面図である。
【図１４】図１１のＷ７−Ｗ７線における断面図である。
【図１５】図１１のＷ８−Ｗ８線における断面図である。
【図１６】この発明の第６の例を模式的に表す平面図である。
【図１７】この発明の第７の例を模式的に表す平面図である。
【図１８】この発明の第８の例を模式的に表す平面図である。
【図１９】この発明の第９の例を模式的に表す平面図である。
【図２０】この発明の第１０の例を模式的に表す平面図である。
【図２１】この発明における隔壁の形状と配置を示す平面図である。
【図２２】従来のＰＤＰの構成を模式的に表す平面図である。
【図２３】図２１のＶ−Ｖ線における断面図である。
【図２４】図２１のＷ−Ｗ線における断面図である。
【図２５】出願人の提案にかかるＰＤＰを模式的に表す平面図である。
【図２６】図２４のＶ１−Ｖ１線における断面図である。
【図２７】図２５のＶ２−Ｖ２線における断面図である。
【図２８】図２４のＷ１−Ｗ１線における断面図である。
【図２９】図２４のＷ２−Ｗ２線における断面図である。
【符号の説明】
【０１４９】
１０   前面ガラス基板（前面基板）
１１   誘電体層（第１の誘電体層）
１１Ａ   嵩上げ誘電体層（嵩上げ部）
１２   保護層
１３   背面ガラス基板（背面基板）
１４   誘電体層（第２の誘電体層）
１５，３５，４５，６５，１５Ａ  隔壁
１５ａ，３５ａ，４５ａ，６５ａ，１５Ａａ  縦壁（縦壁部）
１５ｂ，３５ｂ，４５ｂ，６５ｂ，１５Ａｂ  横壁（横壁部）
１５ｂ，３５ｂ，４５ｂ，６５ｂ  分割部分
１５Ａ，１５Ｂ，１５Ｃ，１５Ｄ  隔壁
１５Ａａ，１５Ｂａ，１５Ｃａ，１５Ｄａ  縦壁
１５Ａｂ，１５Ｂｂ，１５Ｃｂ，１５Ｄｂ  横壁
１５Ａｃ  面取り
１６   蛍光体層
３０   光吸収層
３１   光吸収層
４０   光吸収層
Ｘ   行電極
Ｙ   行電極
Ｘａ   透明電極
Ｙａ   透明電極
Ｘｂ   バス電極（本体部）
Ｙｂ   バス電極（本体部）
Ｘｂ'，Ｙｂ'  黒色層（光吸収層）
Ｘｂ”，Ｙｂ”  白色層（光反射層）
Ｄ，ＤＡ，ＤＢ，ＤＣ，ＤＤ  列電極
Ｓ   放電空間
ＳＬ，ＳＬ１，ＳＬ２  隙間
ｓｌ，ｓｌ'  スリット
Ｃ   放電セル（単位発光領域）
Ｃ'   ダミーセル
ＧＡ，ＧＢ，ＧＣ，ＧＤ  画素
Ｌ   表示ライン
ｇ   ギャップ
ｒ   隙間
【図１】
2004259708.tif 000003
【図２】
2004259708.tif 000004
【図３】
2004259708.tif 000005
【図４】
2004259708.tif 000006
【図５】
2004259708.tif 000007
【図６】
2004259708.tif 000008
【図７】
2004259708.tif 000009
【図８】
2004259708.tif 000010
【図９】
2004259708.tif 000011
【図１０】
2004259708.tif 000012
【図１１】
2004259708.tif 000013
【図１２】
2004259708.tif 000014
【図１３】
2004259708.tif 000015
【図１４】
2004259708.tif 000016
【図１５】
2004259708.tif 000017
【図１６】
2004259708.tif 000018
【図１７】
2004259708.tif 000019
【図１８】
2004259708.tif 000020
【図１９】
2004259708.tif 000021
【図２０】
2004259708.tif 000022
【図２１】
2004259708.tif 000023
【図２２】
2004259708.tif 000024
【図２３】
2004259708.tif 000025
【図２４】
2004259708.tif 000026
【図２５】
2004259708.tif 000027
【図２６】
2004259708.tif 000028
【図２７】
2004259708.tif 000029
【図２８】
2004259708.tif 000030
【図２９】
2004259708.tif 000031